(57)【要約】      （修正有）【課題】所望のパラメータを速やかに表示することができる調節計を提供する。【解決手段】複数のパラメータを用いて、調整対象を調整する調節計であって、パラメータを表示する表示部２０と、複数のパラメータの表示順をパラメータに対応付けて記憶する設定パラメータ記憶部７と、表示順に応じた遷移経路にしたがって、表示器に表示されるパラメータを切換える表示切換用キーと、複数のパラメータのうち、ユーザによって選択された選択パラメータを記憶する選択パラメータ記憶部８と、表示部２０に対して、前記選択されたパラメータを優先的に表示させる第１ユーザファンクションキーと、を備えている。そして、選択パラメータ記憶部８に記憶される１つの選択パラメータとして、２以上のパラメータを含むパラメータ群を設定可能になっている。【選択図】図２
2010176355.tif 000002
【特許請求の範囲】
【請求項１】
複数のパラメータを用いて、調整対象を調整する調節計であって、
前記パラメータを表示する表示器と、
前記複数のパラメータの表示順を当該パラメータに対応付けて記憶する設定パラメータ記憶部と、
前記表示順に応じた遷移経路にしたがって、前記表示器に表示されるパラメータを切換える表示切換用入力手段と、
前記複数のパラメータのうち、ユーザによって選択された選択パラメータを記憶する選択パラメータ記憶部と、
前記表示器に対して、前記選択されたパラメータを優先的に表示させる選択パラメータ表示用入力手段と、を備え、
前記選択パラメータ記憶部に記憶される１つの選択パラメータとして、２以上の前記パラメータを含むパラメータ群を設定可能な調節計。
【請求項２】
前記パラメータ群に含まれる２以上のパラメータがユーザによって設定可能であることを特徴とする請求項１に記載の調節計。
【請求項３】
前記パラメータ群に加えて、１つの前記パラメータが前記選択パラメータ記憶部に１つの選択パラメータとして設定可能であることを特徴とする請求項１、又は２に記載の調節計。
【発明の詳細な説明】
【技術分野】
【０００１】
本発明は、調節計に関し、特に詳しくは、複数のパラメータを用いて調整対象を調整する調節計に関するものである。
【背景技術】
【０００２】
加熱処理炉などの温度を調整する調節計として、温調計が利用されている。例えば、ＰＩＤ制御を行う温調計では、ＰＩＤパラメータなどの多数のパラメータを設定する必要がある。温調計は、これらのパラメータの設定を利用して温度を調整する。すなわち、温調計は、温度センサでの計測値に基づいて、ＰＩＤ制御を行う。
【０００３】
このように、温調計には制御に必要なパラメータが多数設定される。例えば、ＰＩＤパラメータの他にも、制御モードのパラメータや、目標値や、操作量の上限値、及び下限値などの設定が行われる。制御モードの設定によって、ＰＩＤ制御から、ＯＮ／ＯＦＦ制御に切り換わる。
【０００４】
このような温調計では、パラメータの設定を確認、変更するために、表示画面上にパラメータとその設定値を表示させている。例えば、温調計の前面側に、表示部と操作部とが設けられている。そして、表示部には、パラメータとその設定値が表示される。さらに、操作部での操作によって、表示されるパラメータを切換える。このとき、表示中のパラメータは予め設定されている表示順序にしたがって切換られていく。このようにすることで、各パラメータの設定を確認、変更することができる。
【０００５】
温調計の高機能化に伴い、設定するパラメータ数が増加する傾向にある。そのため、ユーザが選択したパラメータを優先的に表示させる機能を付加した温調計がある（非特許文献１、２参照）。例えば、ユーザが表示させたいパラメータを登録する。その後、ユーザがユーザファンクションキーを押下することで、予め登録しておいてパラメータが表示される。このようにすることで、使用する頻度の高いパラメータを速やかに表示することができる。例えば、非特許文献２の調節計では、ＰＦ１、ＰＦ２のキーに対して５つのパラメータをそれぞれ設定することができるようになっている。
【０００６】
【非特許文献１】横河電機株式会社  ＵＴシリーズ取扱説明書  セレクト画面の項
【非特許文献２】オムロン株式会社  Ｅ５ＥＲ取扱説明書  ｐ８−６８
【発明の概要】
【発明が解決しようとする課題】
【０００７】
しかしながら、ユーザが登録することができるパラメータの数には制限がある。すなわち、予め割り当てられている数以上のパラメータを登録することができない。このため、非特許文献１、２の調節計では、所望のパラメータを速やかに表示させることができないという問題点がある。
【０００８】
本発明は、このような問題点を解決するためになされたもので、所望のパラメータを速やかに表示させることができる調節計を提供することを目的とする。
【課題を解決するための手段】
【０００９】
本発明の第１の態様にかかる調節計は、複数のパラメータを用いて、調整対象を調整する調節計であって、前記パラメータを表示する表示器と、前記複数のパラメータの表示順を当該パラメータに対応付けて記憶する設定パラメータ記憶部と、前記表示順に応じた遷移経路にしたがって、前記表示器に表示されるパラメータを切換える表示切換用入力手段と、前記複数のパラメータのうち、ユーザによって選択された選択パラメータを記憶する選択パラメータ記憶部と、前記表示器に対して、前記選択されたパラメータを優先的に表示させる選択パラメータ表示用入力手段と、を備え、前記選択パラメータ記憶部に記憶される１つの選択パラメータとして、２以上の前記パラメータを含むパラメータ群を設定可能なものである。これにより、所望のパラメータを速やかに表示することができる。
【００１０】
本発明の第２の態様にかかる調節計は、上記の調節計であって、前記パラメータ群に含まれる２以上のパラメータがユーザによって設定可能であることを特徴とするものである。これにより、より利便性を向上することができる。
【００１１】
本発明の第３の態様にかかる調節計は、上記の調節計であって、前記パラメータ群に加えて、１つのパラメータが、前記選択パラメータ記憶部に１つのパラメータとして設定可能であることを特徴とするものである。これにより、より利便性を向上することができる。
【発明の効果】
【００１２】
本発明によれば、所望のパラメータを速やかに表示することができる調節計を提供することができる。
【図面の簡単な説明】
【００１３】
【図１】本発明の実施の形態にかかる調節計の概観を示す正面図である。
【図２】本発明の実施の形態にかかる調節計の構成を示すブロック図である。
【図３】温調計の設定パラメータ記憶部に記憶されているデータ例を示す図である。
【図４】温調計の選択パラメータ記憶部に記憶されているデータ例を示す図である。
【図５】温調計の選択パラメータ記憶部に記憶されている別のデータ例を示す図である。
【図６】パラメータ設定群の定義データテーブルの一例を示す表である。
【図７】パラメータ設定群の定義データテーブルの一例を示す表である。
【図８】パラメータ設定群の定義データテーブルの一例を示す表である。
【図９】温調計の状態表示の切換手順を示すフローチャートである。
【発明を実施するための最良の形態】
【００１４】
本実施の形態にかかる調節計は、複数のパラメータを用いて、調整対象を調整する調節計である。調節計は、パラメータを表示する表示器と、複数のパラメータの表示順を当該パラメータに対応付けて記憶する設定パラメータ記憶部と、表示順に応じた遷移経路にしたがって、表示器に表示されるパラメータを切換える表示切換用入力手段と、複数のパラメータのうち、ユーザによって選択された選択パラメータを記憶する選択パラメータ記憶部と、表示器に対して、選択されたパラメータを優先的に表示させる選択パラメータ表示用入力手段と、を備えている。さらに、この調節計では、選択パラメータ記憶部に記憶される１つの選択パラメータとして、２以上のパラメータを含むパラメータ群が設定可能になっている。
【００１５】
以下の説明では、調節計が温度を調整する温度調節計（以下、温調計とする）であるとして説明する。すなわち、温調計は、加熱装置や冷却装置等の温度を調整する。例えば、調整対象が加熱炉である場合、温調計は制御出力値（ＭＶ値）によって、加熱炉に設けられたヒータを制御する。また、調節計には、調整対象に設けられた温度センサによって測定された測定値（ＰＶ値）が入力されている。ユーザは調節計に制御目標としての設定値（ＳＰ値）を入力する。温調計は、このＰＶ値とＳＰ値とに基づいて、フィードバック制御を行う。すなわち、温調計は、予め設定されているＳＰ値にＰＶ値を近づけるように制御を行う。
【００１６】
そして、温調計が、ＳＰ値に対するＰＶ値の偏差に応じて、ヒータをフィードバック制御する。具体的には、温調計がＰＩＤ制御を行う。従って、温調計は、予め設定されているＰＩＤパラメータの値に応じてヒータを制御する。例えば、ＰＩＤ制御の元で算出されたＭＶ値を制御対象に出力する。これにより、加熱炉に設けられているヒータの出力が制御され、ＳＰ値がＰＶ値に近づいていく。
【００１７】
次に、本実施の形態にかかる調節計について、図１、２を用いて説明する。図１は、温調計の外観を示す正面図である。図２は、温調計の構成を示すブロック図である。
【００１８】
図１に示すように、温調計の表面には、表示部２０と、入力部３０が設けられている。このように、温調計は、前面に表示部２０が設けられているパネル制御機器である。表示部２０の下側には、入力部３０が設けられている。入力部３０によって各種制御パラメータの設定が入力される。すなわち、ユーザが入力部３０を操作することで、所定の動作を行う。温調計は、設定された制御パラメータに基づいて、ＭＶ値を出力する。
【００１９】
温調計は、箱型形状を有しており、その内部に、マイクロプロセッサやメモリ等が設けられている。このマイクロプロセッサやメモリなどが温調計本体１０に内蔵された、制御演算部１、データ入力部２、データ出力部３、表示制御部４、設定パラメータ記憶部７、選択パラメータ記憶部８などを構成する。
【００２０】
制御演算部１は、制御計算を行って、調整対象を制御するための情報を出力する。例えば、制御演算部１は、調整対象において測定された測定値（ＰＶ値）がデータ入力部２を介して入力されている。すなわち、データ入力部２には、調整対象において測定された温度が入力される。制御演算部１は、ＰＶ値やＳＰ値やＰＩＤパラメータ等を参照して、調整対象を動作させるための情報を出力する。例えば、制御演算部１は、データ出力部３を介して、調整対象にＭＶ値を出力する。
【００２１】
また、表示制御部４は、温調計本体において取り扱われる複数種の情報（パラメータ）を表示部２０に選択的に表示させる。すなわち、温調計本体１０に内蔵されている表示制御部４が表示部２０における表示を制御する。また、表示制御部４は、運転情報画面と、設定表示画面の表示を切換える。運転表示画面では、ＰＶ値、ＳＰ値、ＭＶ値などの調整対象の運転情報が表示される。設定表示画面では、制御演算に用いられる各種のパラメータが表示される。この設定表示画面において、ユーザがパラメータの入力、変更、確認などを行う。
【００２２】
例えば、表示部２０は、温調計において取り扱われる複数種のパラメータを選択的に表示する。表示部２０は、温調計本体１０を内蔵したケースの前面パネルに組み込まれた複数桁の数字・文字表示器や、状態表示用の発光器などからなる。具体的には、図１に示すように、前面パネルには、第１表示部２１と、第２表示部２２とが設けられている。第１表示部２１の下側に、第２表示部２２が配置されている。表示部２０には、１つのパラメータに対する情報が表示される。すなわち、複数種のパラメータの中から１つのパラメータを抽出して、選択的に表示する。
【００２３】
第１表示部２１、第２表示部２２は、複数桁の数字、文字を表示する。第２表示部２２は、第１表示部２１よりも若干、小型になっている。ここでは、第１表示部２１、及び第２表示部２２は、それぞれ、５桁の数字、文字を表示する。第１表示部２１、及び第２表示部２２は、アルファベットや数字を表示することで、温調計に設定されているパラメータを表現する。また、運転表示画面では、第１表示部２１、及び第２表示部２２は、上述のＰＶ値、ＳＰ値、ＭＶ値等の調整対象の運転状態を表示する。
【００２４】
第２表示部２２の下側には、入力部３０が設けられている。すなわち、ユーザが入力部３０を操作することによって、所定の情報が温調計に入力される。ここでは、入力部３０は、縦２×横５の１０個のキーから構成されているが、キーの数はこれに限られるものではない。
【００２５】
入力部３０には、表示切換用キー３１、第１ユーザファンクションキー３２、第２ユーザファンクションキー３３、第３ユーザファンクションキー３４、第４ユーザファンクションキー３５、ディスプレイキー３６、及びエンターキー３７等を含んでいる。図２には図示されていないが、表示切換用キー３１は前面パネルにおいて「ｐａｒａ」と表記されている。同様に、第１ユーザファンクションキー３２は「ｕｆ１」、第２ユーザファンクションキー３３は「ｕｆ２」、第３ユーザファンクションキー３４は「ｕｆ３」、第４ユーザファンクションキー３５は「ｕｆ４」、ディスプレイキー３６は「ｄｉｓｐｌａｙ」、エンターキー３７は「ｅｎｔｅｒ」と表記されている。もちろん、図示したキー配列以外の配列であってもよい。
【００２６】
表示切換用キー３１は、運転表示画面から設定表示画面に切換える際に用いられる。例えば、運転表示画面を表示中に、ユーザが表示切換用キー３１を押すと、設定表示状態となって、設定表示画面に切り替わる。これにより、所定のパラメータの値を表示させることができるようになる。また、ディスプレイキー３６は、設定表示画面から運転表示画面に切換える際に用いられる。例えば、設定表示画面を表示中に、ユーザがディスプレイキー３６を押すと、運転状態表示となって、運転表示画面に切り替わる。これにより、ＰＶ値、ＭＶ値、ＳＰ値などを表示することができる。設定表示画面が表示されている時に、ユーザが表示切換用キー３１を押すと、表示部２０に表示されているパラメータが順番に切り換わっていく。
【００２７】
さらに、ユーザが、第１ユーザファンクションキー３２、第２ユーザファンクションキー３３、第３ユーザファンクションキー３４、第４ユーザファンクションキー３５を押すと、ユーザが定義したパラメータを表示する。例えば、ユーザは、全てのパラメータの中から使用頻度の高いパラメータを選択して、選択パラメータとしてユーザファンクションに定義する。第１ユーザファンクションキー３２には、８つのパラメータが定義可能になっている。そして、第１ユーザファンクションキー３２を繰り返し押すことで、定義された８つの選択パラメータが順番に表示されていく。選択パラメータは、全てのパラメータの中から選択される。
【００２８】
ユーザがパラメータの表示中にディスプレイキー３６を押すと、元の運転状態表示に戻る。エンターキー３７は、パラメータの設定などに用いられる。例えば、表示切換用キー３１の操作により、あるパラメータが表示されている間、エンターキー３７を押すと、そのパラメータの値が入力可能な状態となる。そして、ユーザが上下の矢印キーなどでパラメータとして設定したい値を決定して、再度エンターキー３７を押すことで、パラメータの値を入力することができる。
【００２９】
上記のパラメータとその値は、図１に示す設定パラメータ記憶部７に記憶されている。例えば、設定パラメータ記憶部７は、複数種のパラメータを識別する識別子を、その内容及び値とともに、テーブルとして記憶している。例えば、図３に示すように、識別番号と、項目名が対応付けられて記憶されている。さらに、識別番号に、ユーザによって設定されたパラメータ値が対応付けられている（不図示）。すなわち、ユーザが入力したパラメータ値がそのパラメータの識別番号に紐付けられて、設定パラメータ記憶部７に格納される。このように、全てのパラメータが１つのテーブル（表）に記憶されている。なお、設定パラメータ記憶部７は、メモリの一部又は全部によって構成されている。
【００３０】
例えば、識別番号１００１は、ＰＩＤパラメータ第１組の比例帯（Ｐ）を示している。同様に、識別番号１００２は、ＰＩＤパラメータ第１組の積分時間（Ｉ）を示し、識別番号１００３は、ＰＩＤパラメータ第１組の微分時間（Ｄ）を示している、ＰＩＤパラメータ第１組によって、調整を行なう場合、この識別番号１００１〜１００３に対応付けられているＰＩＤの値が、ＰＩＤ制御に使用される。換言すると、制御演算部１が識別番号１００１〜１００３のＰＩＤ値を用いて、制御演算を行う。
【００３１】
さらに、識別番号１００４は、ＰＩＤパラメータ第１組の出力下限、識別番号１００５はＰＩＤパラメータ第１組の出力上限となっている。これらパラメータ値は、０〜１００（％）の値で設定される。従って、識別番号１００４、１００５に設定されている範囲の値（％）を越えないように、制御演算部１がＭＶ値を算出する。
【００３２】
また、識別番号２００１、２００２は、イベント１の上限設定と下限設定となっている。識別番号３００１〜３００５は、ＰＩＤパラメータ第２組の比例帯（Ｐ）、積分時間（Ｉ）、微分時間（Ｄ）、出力下限、出力上限となっている。
【００３３】
設定表示画面では、この識別番号順に、表示が切り換わっていく。例えば、設定表示画面になると、最初に、識別番号１００１のパラメータを示す文字（アルファベット）とそのパラメータの値が、表示部２０に表示される。この状態で、表示切換用キー３１を押すと、次の識別番号である識別番号１００２のパラメータが表示される。このように、表示切換用キー３１を押すと、次の識別番号に対応するパラメータが表示される。すなわち、識別番号が小さいものから順番に表示が切り換わっていく。識別番号が最大のパラメータが表示されている状態で、表示切換用キー３１を押すと、最小の識別番号１００１のパラメータ表示に戻る。すなわち、表示の遷移経路は、識別番号に応じたループになっている。
【００３４】
このように、識別番号は、表示切換用キー３１によって切り換わるパラメータの表示順番を確定している。よって、ユーザが表示切換用キー３１を押すことで、表示順にしたがった遷移経路で、表示が切り換わって行く。なお、表示順は、識別番号の小さい順ではなくて、大きい順でもよい。あるいは、識別番号で階層化して、表示を行ってもよい。
【００３５】
ここで、識別番号９００１は、ＰＩＤパラメータ第１組のパラメータ設定群、識別番号９００２はＰＩＤパラメータ第２組のパラメータ設定群となっている。識別番号９００１、９００２では、１つの識別番号に対して、２以上のパラメータが対応付けられている。ここでは、識別番号９００１が、識別番号１００１〜１００５の５つのパラメータを含んでいる。同様に、識別番号９００２が、識別番号３００１〜３００５の５つのパラメータを含んでいる。
【００３６】
このように、９０００番台の識別番号には、複数のパラメータを含むパラメータ設定群が割り当てられている。すなわち、１つの識別番号に２以上のパラメータが対応付けられている。一方、１０００番台〜８０００番台の識別番号には、１つのパラメータが対応付けられている。従って、１０００番台〜８０００番台の識別番号では、識別番号とパラメータが１対１対応になっている。
【００３７】
例えば、設定パラメータ記憶部７を構成するメモリには、予め、識別番号毎にパラメータが割り当てられている。そして、識別番号９００１の場合には、識別番号１００１〜１００５を参照するように、設定されている。識別番号９００１のパラメータを表示する場合、割り当てられている複数のパラメータを順番に表示させるようにする。例えば、識別番号９００１を表示する順番になったら、識別番号１００１〜１００５が表示される。
【００３８】
さらに、本実施の形態では、第１ユーザファンクションキー３２、第２ユーザファンクションキー３３、第３ユーザファンクションキー３４、第４ユーザファンクションキー３５の各ボタンに対して、複数のパラメータを割り当てることができる。すなわち、ユーザが頻繁に設定変更や確認をしたいパラメータを、第１ユーザファンクションキー３２、第２ユーザファンクションキー３３、第３ユーザファンクションキー３４、第４ユーザファンクションキー３５に対して割り当てる。こうすることで、ユーザが確認等したいパラメータを速やかに表示部２０に表示することができる。
【００３９】
例えば、第１ユーザファンクションキー３２〜第４ユーザファンクションキー３５のそれぞれには、８個の識別番号を割り当てることができるようになっている。運転状態表示や設定画面表示中に、ユーザが第１ユーザファンクションキー３２を押す。すると、第１ユーザファンクションキー３２に定義されているパラメータが表示されるようになる。第１ユーザファンクションキー３２を押した場合、識別番号による表示順（遷移経路）のループにかかわらず、第１ユーザファンクションキー３２に定義されているパラメータが表示される。従って、第１ユーザファンクションキー３２を押すことで、表示制御部４が速やかにユーザが表示したいパラメータにショートカットして表示する。すなわち、遷移経路をショートカットして、表示したいパラメータにジャンプする。これにより、利便性を向上することができる。
【００４０】
例えば、第１ユーザファンクションキー３２〜第４ユーザファンクションキー３５のそれぞれには、最大８個の選択パラメータが定義されている。すなわち、ユーザが８つのパラメータを選択して、第１ユーザファンクションキー３２に登録することが可能になっている。ユーザが頻繁に用いるパラメータを選択して、第１ユーザファンクションキー３２〜第４ユーザファンクションキー３５に登録する。なお、第１ユーザファンクションキー３２〜第４ユーザファンクションキー３５に定義されているパラメータを選択パラメータとする。
【００４１】
選択パラメータは、選択パラメータ記憶部８に記憶される（図１参照）。選択パラメータ記憶部８はメモリの一部、又は全部によって構成されている。図３に示すように、設定パラメータのテーブルには、識別番号毎にパラメータが予め、割り当てられている。選択パラメータは、設定パラメータのテーブルから選択される。選択パラメータは、例えば、図４に示すようにテーブル（表）として記憶されている。図４では、第１ユーザファンクションキー３２に登録されている選択パラメータを示している。ここでは、登録番号１に、識別番号９００１が登録され、登録番号２に、識別番号９００２が登録されている。登録番号３〜８は未登録となっている。このように、各登録番号に対して、１つの識別番号が設定可能となっている。
【００４２】
第１ユーザファンクションキー３２を押すと、表示制御部４が選択パラメータ記憶部８を参照して、識別番号９００１を抽出する。これにより、識別番号９００１に含まれているパラメータの設定、確認を行うことができる。第１ユーザファンクションキー３２を押すと、表示制御部４が選択パラメータ記憶部８を参照して、識別番号９００２を抽出する。これにより、識別番号９００２に含まれているパラメータの設定、確認を行うことができる。このように、登録番号順に、表示が切り換わっていく。このようにすることで、実質的に、２つの登録番号に合計１０個のパラメータを割り当てることができる。
【００４３】
通常、第１ユーザファンクションキー３２〜第４ユーザファンクションキー３５に割り当てられているパラメータの数は、予め設定されている。例えば、第１ユーザファンクションキー３２〜第４ユーザファンクションキー３５のそれぞれに８個のパラメータが割り当てられている場合、合計３２個のパラメータが選択パラメータとして定義される。しかしながら、設定されている選択パラメータの数は、ユーザが増加することができない。よって、従来の調節計では、３３個以上のパラメータを速やかに表示させることができない。換言すると、選択パラメータ以外は、遷移経路にしたがってしか、表示することができない。このため、表示するために必要な時間が長くなる。
【００４４】
例えば、ＰＩＤパラメータの設定群に、５つのパラメータが含まれている場合、８組の設定群をユーザファンクションキーに登録するためには、４０（＝５×８）個分の格納領域が必要になる。この場合、４つのユーザファンクションキーに、８組の設定群に含まれる全てのパラメータを登録することができない。すなわち、全てのパラメータを選択パラメータとして登録するためには、より多くのメモリやユーザファンクションキーが必要となる。
【００４５】
本実施の形態では、１つの登録番号に、２つ以上のパラメータを有するパラメータ群が設定されている。すなわち、選択パラメータ記憶部８に記憶される１つの選択パラメータとして、２以上のパラメータを含むパラメータ群を設定可能になっている。ここでは、１つの選択パラメータとして、ＰＩＤパラメータの設定群を定義する。こうすることで、ユーザファンクションキーに割り当てることができるパラメータの数を実質的に増加させることができる。
【００４６】
よって、より多くのパラメータを速やかに表示させることができる。これにより、利便性が向上する。例えば、第１ユーザファンクションキー３２キーを押す毎に、ＰＩＤパラメータ第１組の比例帯（識別番号１００１）、積分時間（識別番号１００２）、微分時間（識別番号１００３）、出力下限（識別番号１００４）、出力上限（識別番号１００５）、ＰＩＤパラメータ第２組の比例帯（識別番号３００１）、積分時間（識別番号３００２）、微分時間（識別番号３００３）、出力下限（識別番号３００４）、出力上限（識別番号３００５）の順で表示が切り換わる。すなわち、第１ユーザファンクションキー３２に割り当てられている全てのパラメータが順番に表示されていく。ユーザファンクションキーを押す毎に、ユーザファンクションキーに割り当てられたパラメータが選択的に表示される。
【００４７】
このようにすることで、必要なユーザファンクションキーの数を減少させることができる。例えば、ＰＩＤパラメータを４０個定義する場合、本実施の形態では、必要なユーザファンクションキーの数は１つでよい。この場合、各登録番号に５つのパラメータからなるパラメータ設定群を定義していく。これにより、８個の登録だけで、４０個のＰＩＤパラメータを割り当てることができる。これに対して、従来技術用のように、複数のパラメータを含むパラメータ設定群を登録できないとすると、５個のユーザファンクションキーが必要となる。
【００４８】
特に、関連のある複数のパラメータを１つのパラメータ設定群として、登録する。こうすることで、関連ある複数のパラメータを速やかにユーザが、確認することができる。関連する複数のパラメータは、ＰＩＤパラメータだけではなく、接線近似における接線接続点の入力Ｘと出力Ｙの値の設定値などでもよい。
【００４９】
このような場合、関連のあるパラメータをパラメータ設定群として、１つの登録番号に予め割り当てておくことが好ましい。すなわち、図３に示す設定パラメータのテーブルの一部に、パラメータ設定群の領域を確保しておく。例えば、温調計の製造者が、機器の仕様として予め割り当てを規定しておく。あるいは、温調計を購入したユーザが、図６〜図８に示す表を登録できるようにしてもよい。図６〜図８は、識別番号９００１として定義されたパラメータ設定群の定義テーブルを示す表である。例えば、識別番号が連続するパラメータを登録する場合、図６に示すように、１つの登録番号に対して、先頭のパラメータと、最後となるパラメータの識別番号を登録する。あるいは、図７に示すように、先頭のパラメータの識別番号と、含まれるパラメータの数を登録する。このようにすることで、連続するパラメータを簡便に１つの登録番号に登録することができる。さらに、図８に示すように、パラメータ設定群に含まれる各パラメータを識別番号によって定義してもよい。また、ユーザがユーザファンクションキーに割り当てるパラメータ群を自由に変更することができるため、より利便性を向上することができる。識別番号９０００番台に定義するパラメータを、ユーザが決定してもよい。
【００５０】
さらに、複数のパラメータ設定群の登録と、１つのパラメータの登録を併用してもよい。例えば、図５に示すように、登録番号１、２には、選択パラメータとして、１つのパラメータ（識別番号２００１、２００２）が設定されている。登録番号３、４には、選択パラメータとして、複数のパラメータを含むパラメータ設定群が登録されている。パラメータ群に加えて、１つのパラメータが選択パラメータ記憶部８に１つの選択パラメータとして設定されている。すなわち、選択パラメータ記憶部８には、１つの選択パラメータとして、パラメータ設定群と、１つのパラメータが並列に記憶されている。
【００５１】
この場合、第１ユーザファンクションキー３２を押すと、イベント１上限設定を表示する。さらに、第１ユーザファンクションキー３２を押すとイベント１下限設定を表示する。さらに、第１ユーザファンクションキー３２キーを押す毎に、ＰＩＤパラメータ第１組に含まれる５個のパラメータと、ＰＩＤパラメータ第２組に含まれる５個のパラメータを順に表示する。このように１つのパラメータの登録と、パラメータ設定群の登録を同時に使うことで、より利便性を向上することができる。
【００５２】
次に、本実施の形態にかかる温調計における状態表示の切換及び設定値の変更の手順について、図９を用いて説明する。図９は、状態表示の切換手順を示すフローチャートである。
【００５３】
まず、電源ＯＮすると、運転表示状態になる（ステップＳ１０１）。この運転表示状態では、運転表示画面となって、ＰＶ値、ＭＶ値、ＳＰ値などが表示される。すなわち、ＰＶ値、ＭＶ値、ＳＰ値などの表示が切換えられる。運転状態表示の時に、「ｐａｒａ」キー（表示切換用キー３１）を押すと、通常のパラメータ設定表示状態となる（ステップＳ１０２）。すなわち、設定表示画面となって、識別番号に沿って表示が行われる。従って、この状態で「ｐａｒａ」キー（表示切換用キー３１）を押すと、遷移経路にしたがって、次のパラメータを表示する。このようにすることで、識別番号順に、パラメータの表示が切り換わっていく。なお、通常のパラメータ設定表示状態（ステップＳ１０２）で、「ｄｉｓｐｌａｙ」キー（ディスプレイキー３６）を押すと、運転状態表示に戻る。
【００５４】
通常のパラメータ表示状態で、「ｅｎｔｅｒ」キー（エンターキー３７）を押すと、設定値の変更状態となる（ステップＳ１０３）。例えば、上キーや下キーを押すことで、設定値が変化する。そして、所望の値となったところで、「ｅｎｔｅｒ」キー（エンターキー３７）を押すと、設定値が更新されるとともに、通常のパラメータ設定表示状態に戻る（ステップＳ１０２）。設定値の変更状態（ステップＳ１０３）で、「ｄｉｓｐｌａｙ」キー（ディスプレイキー３６）を押すと、運転状態表示に戻る。
【００５５】
一方、運転表示状態（ステップＳ１０１）において、「ｕｆ」キー（第１ユーザファンクションキー３２〜第４ユーザファンクションキー３５のうちのいずれか）を押すと、ユーザ登録のパラメータ表示状態となる（ステップＳ１０４）。例えば、第１ユーザファンクションキー３２を押すと、第１ユーザファンクションキー３２に割り当てられている選択パラメータのうち、最初の選択パラメータを表示する。選択パラメータが複数のパラメータを含む場合は、最も識別番号の小さいパラメータを表示する。さらに、「ｕｆ」キー（上記の場合、第１ユーザファンクションキー３２）を押すと、次の登録パラメータを表示する。なお、ユーザ登録のパラメータ表示状態（ステップＳ１０４）で、「ｄｉｓｐｌａｙ」キー（ディスプレイキー３６）を押すと、運転状態表示に戻る。
【００５６】
また、ユーザ登録のパラメータ設定表示状態（ステップＳ１０４）で、「ｅｎｔｅｒ」キーを押すと、設定値の変更状態となる（ステップＳ１０５）。これにより、ステップＳ１０３と同様に、パラメータの値を変更することができる。すなわち、上キーや下キーを押して、値を増減させて、再度「ｅｎｔｅｒ」キーを押すことで、更新される。なお、変更状態（ステップＳ１０５）で、「ｄｉｓｐｌａｙ」キー（ディスプレイキー３６）を押すと、運転状態表示に戻る。
【００５７】
このようにすることで、所望のパラメータを速やかに表示することができる。また、実質的に、より多くのパラメータをユーザファンクションキーに割り当てることが可能になる。パラメータ数が多くなった場合でも、速やかな表示が可能となる。よって、利便性を向上することができる。なお、１つの登録番号に設定可能なパラメータ群は、連続しない識別番号のパラメータを含んでいてもよい。また、ステップＳ１０４で「ｕｆ」キーを押すのとは逆の順序で、登録パラメータを表示するキー、例えば、上キーの動作を追加してもよい。
【００５８】
さらに、設定パラメータ記憶部７の一部に、パラメータ群を記憶する領域を設ける。例えば、識別番号が９０００番台の領域を、パラメータ群を記憶する領域に設定する。この場合、パラメータ群に対する表示順が割り当てられていることになる。例えば、ユーザファンクションキーを押すと、表示制御部４が識別番号を参照する。そして、表示制御部４は、パラメータ群の中で、識別番号が小さい順に表示を切換えていく。もちろん、パラメータ群の表示順は、識別番号順でなくてもよい。すなわち、ユーザファンクションキーを押したときの表示順は、識別番号順でなくてもよい。これにより、所望のパラメータをより速やかに表示することができ、利便性を向上することができる。
【符号の説明】
【００５９】
１  制御演算部
２  データ入力部
３  データ出力部
４  表示制御部
７  設定パラメータ記憶部
８  選択パラメータ記憶部
１０  温調計本体
２０  表示部
２１  第１表示部
２２  第２表示部
３０  入力部
３１  表示切換用キー
３２  第１ユーザファンクションキー
３３  第２ユーザファンクションキー
３４  第３ユーザファンクションキー
３５  第４ユーザファンクションキー
３６  ディスプレイキー
３７  エンターキー
【図１】
2010176355.tif 000003
【図２】
2010176355.tif 000004
【図３】
2010176355.tif 000005
【図４】
2010176355.tif 000006
【図５】
2010176355.tif 000007
【図６】
2010176355.tif 000008
【図７】
2010176355.tif 000009
【図８】
2010176355.tif 000010
【図９】
2010176355.tif 000011